(57)【要約】【課題】進角特性を容易に調整することが可能な噴射時期進角装置を提供する。【解決手段】燃料噴射ポンプ１のカム軸１８とカム軸１８を駆動する駆動軸１９との回転方向に位相差を与えることにより、燃料噴射ポンプ１の燃料噴射時期を進角させるタイマー２０であって、ケース２１と、ガイドカム２２と、一対のウエイト２３・２３と、バネ２６と、バネ２６の付勢方向に往復移動可能なバネ受け２７と、先細状に構成されてバネ受け２７とガイドカム２２との間隔を調整し、バネ２６の付勢力を調整する調整ボルト２８と、を備えるものである。【選択図】図４
2010216438.tif 000002
【特許請求の範囲】
【請求項１】
燃料噴射ポンプのカム軸と前記カム軸を駆動する駆動軸との回転方向に位相差を与えることにより、前記燃料噴射ポンプの燃料噴射時期を進角させる噴射時期進角装置であって、前記駆動軸に固定され前記カム軸側に動力を出力する出力部材と、前記カム軸に固定され前記出力部材側の動力が入力される入力部材と、前記出力部材と前記入力部材との間において前記出力部材に回動可能に軸支され前記出力部材の回転によって生じる遠心力が作用することにより前記カム軸の半径方向に広がって前記入力部材に回転力を付与する一対のウエイト部材と、一端部が前記ウエイト部材側に係止して他端部が前記入力部材側に係止し前記ウエイト部材に対して前記カム軸の半径方向に広がらないように付勢力を付与する付勢部材と、前記付勢部材の前記ウエイト部材側の端部を受け前記付勢部材の付勢方向に往復移動可能な受け部材と、前記受け部材の移動方向に対して直交する方向に挿入可能とされて前記受け部材と前記入力部材との間隔を調整し前記付勢部材の付勢力を調整する前記調整部材と、を備える噴射時期進角装置。
【請求項２】
前記受け部材には、前記付勢部材の付勢方向に対して所定角度傾斜する傾斜部が設けられ、前記調整部材は、先細状に構成された先端部を有するボルトであり、前記付勢部材の付勢方向に直交する方向にねじ込んで入れられるとともに、前記先端部が前記傾斜部に沿う請求項１に記載の噴射時期進角装置。
【請求項３】
前記出力部材は、少なくとも前記一対のウエイト部材、前記付勢部材、および前記受け部材を収納するケース部材であり、前記ケース部材内からは前記ボルトの基端部が外部に突出し、前記突出する基端部には、前記ボルトを回動操作する操作部が設けられる請求項２に記載の噴射時期進角装置。
【請求項４】
前記ケース部材の形状は、一端が開口されるとともに他端が閉塞された円筒状であり、前記ケース部材の開口側は、蓋部材によって蓋され、前記蓋部材には、前記操作部を収納する収納部が設けられる請求項３に記載の噴射時期進角装置。
【発明の詳細な説明】
【技術分野】
【０００１】
本発明は、燃料噴射ポンプのカム軸と前記カム軸を駆動する駆動軸との回転方向に位相差を与えることにより、前記燃料噴射ポンプの燃料噴射時期を進角させる（以下「進角特性」という。）噴射時期進角装置に関し、詳しくは、噴射時期進角装置の進角特性を調整する技術に関する。
【背景技術】
【０００２】
従来、噴射時期進角装置の進角特性を調整する技術は公知となっている（例えば、特許文献１参照）。特許文献１に記載されている噴射時期進角装置は、駆動軸に固定されカム軸側に動力を出力するケースと、カム軸に固定されケース側の動力が入力されるガイドカムと、ケースとガイドカムとの間においてケースに回動可能に軸支され、ケースの回転によって生じる遠心力が作用することによりカム軸の半径方向に広がってガイドカムに回転力を付与する一対のウエイトと、を備える。ガイドカムとバネ受けとの間にはバネが設けられ、ガイドカムとバネ受けとの間隔は、調整シムによって調整される。特許文献１に記載されている噴射時期進角装置は、厚みの異なる調整シムに交換してガイドカムとバネ受けとの間隔を調整することにより、バネの付勢力を調整して噴射時期進角装置の進角特性を調整することが可能である。
【０００３】
しかし、特許文献１に記載されている噴射時期進角装置は、調整シムを交換するために噴射時期進角装置を分解する必要がある等、進角特性の調整が容易でない、という問題があった。
【先行技術文献】
【特許文献】
【０００４】
【特許文献１】特開平１１−３３６５６８号公報
【発明の概要】
【発明が解決しようとする課題】
【０００５】
本発明は以上の如き状況に鑑みてなされたものであり、進角特性を容易に調整することが可能な噴射時期進角装置を提供する。
【課題を解決するための手段】
【０００６】
本発明の解決しようとする課題は以上のとおりであり、次にこの課題を解決するための手段を説明する。
【０００７】
すなわち、請求項１においては、燃料噴射ポンプのカム軸と前記カム軸を駆動する駆動軸との回転方向に位相差を与えることにより、前記燃料噴射ポンプの燃料噴射時期を進角させる噴射時期進角装置であって、前記駆動軸に固定され前記カム軸側に動力を出力する出力部材と、前記カム軸に固定され前記出力部材側の動力が入力される入力部材と、前記出力部材と前記入力部材との間において前記出力部材に回動可能に軸支され前記出力部材の回転によって生じる遠心力が作用することにより前記カム軸の半径方向に広がって前記入力部材に回転力を付与する一対のウエイト部材と、一端部が前記ウエイト部材側に係止して他端部が前記入力部材側に係止し前記ウエイト部材に対して前記カム軸の半径方向に広がらないように付勢力を付与する付勢部材と、前記付勢部材の前記ウエイト部材側の端部を受け前記付勢部材の付勢方向に往復移動可能な受け部材と、前記受け部材の移動方向に対して直交する方向に挿入可能とされて前記受け部材と前記入力部材との間隔を調整し前記付勢部材の付勢力を調整する前記調整部材と、を備えるものである。
【０００８】
請求項２においては、前記受け部材には、前記付勢部材の付勢方向に対して所定角度傾斜する傾斜部が設けられ、前記調整部材は、先細状に構成された先端部を有するボルトであり、前記付勢部材の付勢方向に直交する方向にねじ込んで入れられるとともに、前記先端部が前記傾斜部に沿うものである。
【０００９】
請求項３においては、前記出力部材は、少なくとも前記一対のウエイト部材、前記付勢部材、および前記受け部材を収納するケース部材であり、前記ケース部材内からは前記ボルトの基端部が外部に突出し、前記突出する基端部には、前記ボルトを回動操作する操作部が設けられるものである。
【００１０】
請求項４においては、前記ケース部材の形状は、一端が開口されるとともに他端が閉塞された円筒状であり、前記ケース部材の開口側は、蓋部材によって蓋され、前記蓋部材には、前記操作部を収納する収納部が設けられるものである。
【発明の効果】
【００１１】
本発明の効果として、以下に示すような効果を奏する。
【００１２】
請求項１においては、調整部材の挿入具合によって受け部材と入力部材との間隔を調整して付勢部材の付勢力を調整できるため、噴射時期進角装置の進角特性を容易に調整することが可能である。
【００１３】
請求項２においては、ボルトをねじ込むことにより受け部材と入力部材との間隔を調整して付勢部材の付勢力を容易に調整することが可能であるとともに、ボルトのねじ込み具合によって付勢部材の付勢力を細かく調整することが可能である。
【００１４】
請求項３においては、ケース部材の外部からボルトを回動操作できるため、付勢部材の付勢力の調整に際して噴射時期進角装置を分解する必要がない。これにより、付勢部材の付勢力を容易に調整することが可能である。
【００１５】
請求項４においては、蓋部材から突出する操作部が短くなるため、噴射時期進角装置をコンパクトに構成することが可能である。
【図面の簡単な説明】
【００１６】
【図１】タイマーを備える燃料噴射ポンプを示す側面断面図。
【図２】図１に示すＡ−Ａ’断面図。
【図３】タイマーを示す分解斜視図。
【図４】調整ボルトおよびバネ受けを示す断面図。
【図５】図４に示すＢ−Ｂ’断面図。
【発明を実施するための形態】
【００１７】
以下、本発明の実施の形態を図面に基づき説明する。
【００１８】
図１に示す燃料噴射ポンプ１は、燃料を高圧にして圧送するものであり、エンジンの燃料噴射装置（図示省略）に備えられる。燃料噴射ポンプ１は、ポンプ本体１０、タイマー２０等で構成され、エンジンのシリンダ（図示省略）と同数のポンプ本体１０に備えられるプランジャ１１によって燃料を圧送する列型燃料噴射ポンプである。
【００１９】
なお、以下の説明では、重力が作用する方向を下方としてプランジャ１１の軸方向を「上下方向」と定義し、ポンプ本体１０のタイマー２０側を前方として「前後方向」を定義し、これら定義された方向を用いて説明を行う。
【００２０】
ポンプ本体１０では、プランジャ１１がプランジャバレル１２内に上下方向に往復摺動可能に設けられる。プランジャ１１の上端部とプランジャバレル１２との間には、加圧室１３が形成される。
【００２１】
プランジャバレル１２の下端部は、ポンプケース１４の上部に形成されるタペット室１４１内に挿入される。タペット室１４１内においてプランジャバレル１２の下端部からは、プランジャ１１が下方に突出する。プランジャ１１の下端部にはバネ受け１５が固定され、バネ受け１５とプランジャバレル１２の下端部との間には、バネ１６が設けられる。プランジャ１１の下端部には、タペット室１４１内を上下方向に往復摺動可能なタペット１７が設けられる。
【００２２】
タペット１７内には、バネ受け１５が嵌合され、タペット１７はバネ受け１５を介してプランジャ１１とともにバネ１６によって下方へ付勢される。タペット１７の下部は、カム軸１８上に固定されるカム１８１に当接する。
【００２３】
カム軸１８は、ポンプケース１４の下部に形成されるカム室１４２内に前後方向に架設され、ポンプケース１４に軸受けを介して回動可能に軸支される。カム軸１８の前端部は、ポンプケース１４から前方に突出して、タイマー２０内に挿入される。カム軸１８には、駆動軸１９からの動力がタイマー２０を介して伝達される。駆動軸１９には、エンジンのクランク軸（図示省略）からの動力が伝達される。
【００２４】
このような構成により、燃料噴射ポンプ１では、タイマー２０を介してカム軸１８に駆動軸１９からの動力が伝達され、カム２１が回転されると、カム２１の回転によってタペット１７が上下方向に往復動するとともに、タペット１７に固定されたバネ受け１５を介してプランジャ１１が往復動する。そして、プランジャ１１がバネ１６の付勢力によって押し下げられると、燃料タンク（図示省略）からの燃料が加圧室１３に吸入され、これとは反対にプランジャ１１がバネ１６の付勢力に抗して押し上げられると、加圧室１３内の燃料が加圧されて圧送された後、燃料噴射ノズル（図示省略）から噴射される。
【００２５】
図１から図３に示すタイマー２０は、本発明に係る「噴射時期進角装置」の実施の一形態である。タイマー２０は、カム軸１８と駆動軸１９との回転方向に位相差を与えることにより、燃料噴射ポンプ１の燃料噴射時期を進角させるものである。タイマー２０は、ケース２１と、ガイドカム２２と、一対のウエイト２３・２３と、を備える。
【００２６】
ケース２１は、本発明に係る「出力部材」および「ケース部材」の実施の一形態である。ケース２１は、駆動軸１９に固定されカム軸１８側に動力を出力するものである。ケース２１の形状は、一端（カム軸１８側）が開口されるとともに、他端（駆動軸１９側）が底板２１１によって閉塞された円筒状である。ケース２１内は潤滑油によって潤滑される。ケース２１の開口側は、蓋２１３によって蓋される。ケース２１の底板２１１の中央部には、駆動軸１９が固定され、ケース２１の底板２１１からは、一対のウエイトピン２１２・２１２がケース２１の開口側（カム軸１８側）に向かって突出する。
【００２７】
一対のウエイトピン２１２・２１２は同一構造であり、一のウエイトピン２１２は、基端部側の大径部２１２Ａと、先端部側の小径部２１２Ｂと、を有する。ケース２１と蓋２１３とは、蓋２１３の外側から一対のボルト２１３Ａ・２１３Ａが一対のウエイトピン２１２・２１２の小径部２１２Ｂ・２１２Ｂ内にねじ込んで固定される。蓋２１３の外側面には、蓋２１３の外側面に直交する方向（カム軸１８側）から見たときに、略円環状の凹部である収納部２１３Ｂが設けられる。収納部２１３Ｂ内には、一対のボルト２１３Ａ・２１３Ａの頭部２１３Ａａ・２１３Ａａが収納される。
【００２８】
ガイドカム２２は、本発明に係る「入力部材」の実施の一形態である。ガイドカム２２は、カム軸１８に固定されケース２１側の動力が入力されるものである。ガイドカム２２は、カム軸１８が挿入されて固定されるボス部２２１と、ボス部２２１の外周面に設けられる一対のカム部２２２・２２２と、を有する。
【００２９】
一対のカム部２２２・２２２は、ボス部２２１（カム軸１８）の軸方向に対して点対称な構造である。カム部２２２は、ケース２１の内周面に沿う円弧辺とボス部２２１との間において、カム部２２２の回転方向一側に形成される円弧部２２２Ａと、カム部２２２の回転方向他側であってボス部２２１を挟んで円弧部２２２Ａとは反対側に形成される平面部２２２Ｂと、を有する。
【００３０】
一対のウエイト２３・２３は、本発明に係る「一対のウエイト部材」の実施の一形態である。一対のウエイト２３・２３は、ケース２１とガイドカム２２との間においてケース２１に回動可能に軸支され、ケース２１の回転によって生じる遠心力が作用することによりケース２１（カム軸１８）の半径方向に広がってガイドカム２２に回転力を付与するものである。
【００３１】
一対のウエイト２３・２３は同一構造であり、一のウエイト２３の形状は、ケース２１（カム軸１８）の軸方向から見たときに、ケース２１の内周面に沿う略円弧状である。
【００３２】
ウエイト２３の円弧一端には、貫通孔２３１が形成される。貫通孔２３１には、ウエイトピン２１２の大径部２１２Ａが回動可能に軸支される。つまり、ウエイト２３は、ウエイトピン２１２を中心に回動する。ウエイト２３とケース２１の内周面との間には、空間２１４が形成され、ウエイトピン２１２を中心に回動するウエイト２３は、空間２１４内においてケース２１（カム軸１８）の半径方向に広がる。
【００３３】
ウエイト２３の円弧他端には、ローラピン２３２がケース２１の開口側（カム軸１８側）に向かって突出する。ローラピン２３２には、ローラ２４が回動可能に軸支される。
【００３４】
ローラ２４の外周面は、ガイドカム２２の円弧部２２２Ａに転動可能に接する。ガイドカム２２の平面部２２２Ｂに対向するウエイトピン２１２の小径部２１２Ｂには、ブラケット２５が回動可能に軸支され、ブラケット２５とガイドカム２２の平面部２２２Ｂとの間には、一対のバネ２６・２６が設けられる。
【００３５】
一対のバネ２６・２６は、本発明に係る「付勢部材」の実施の一形態である。一対のバネ２６・２６は、一端部がブラケット２５側（ウエイト２３側）に係止して他端部がガイドカム２２（平面部２２２Ｂ）に係止し、ウエイト２３に対してケース２１（カム軸１８）の半径方向に広がらないように付勢力を付与するものである。
【００３６】
一対のバネ２６・２６のガイドカム２２側の端部は、平面部２２２Ｂに設けられる一対のバネ受け２２２Ｂａ・２２２Ｂａによって受けられる。一対のバネ２６・２６のブラケット２５側の端部は、ブラケット２５に設けられる一対のバネ受け２７・２７によって受けられる。
【００３７】
一対のバネ受け２７・２７は、本発明に係る「受け部材」の実施の一形態である。一対のバネ受け２７・２７は、同一構造であり、一のバネ受け２７は、図４および図５に示すように、軸部２７１と、受け部２７２と、を有する。
【００３８】
軸部２７１には、受け部２７２が固定され、受け部２７２によってバネ２６の端部が受けられる。軸部２７１先端には、傾斜部２７１Ａが設けられる。傾斜部２７１Ａは、バネ２６の付勢方向に対して所定角度傾斜する。傾斜部２７１Ａの形状は、バネ２６の付勢方向に直交する方向から見たときに略「円弧状」である。
【００３９】
ブラケット２５には、軸部２７１の形状に嵌合する摺動孔２５１が設けられる。摺動孔２５１には、バネ受け２７の軸部２７１が往復摺動可能に挿入される。バネ受け２７の往復摺動方向は、バネ２６の付勢方向と一致する。
【００４０】
ブラケット２５には、蓋２１３の収納部２１３Ｂ側から摺動孔２５１に連通する一対のボルト孔２５２・２５２が設けられる。一対のボルト孔２５２・２５２の軸方向は、バネ受け２７の往復摺動方向およびバネ２６の付勢方向に直交する。一対のボルト孔２５２・２５２には、蓋２１３の収納部２１３Ｂ側から一対の調整ボルト２８・２８が挿入される。
【００４１】
一対の調整ボルト２８・２８は、本発明に係る「調整部材」の実施の一形態である。一対の調整ボルト２８・２８は、バネ受け２７とガイドカム２２との間隔を調整してバネ２６の付勢力を調整するものである。一対の調整ボルト２８・２８は、蓋２１３を貫通して蓋２１３および一対のボルト孔２５２・２５２にねじ込んで入れられる。
【００４２】
一対の調整ボルト２８・２８は、同一構造であり、一の調整ボルト２８は、先端部２８１と、基端部２８２と、を有する。
【００４３】
先端部２８１は、先細状に構成される。ここで「先細状」とは、例えば、くさび状、テーパー状等、その他の先端に近づくに従って細くなる形状を含む。先端部２８１の外周面２８１Ａは、バネ受け２７の傾斜部２７１Ａに沿う。つまり、先端部２８１の外周面２８１Ａは、バネ受け２７の傾斜部２７１Ａに当接する。
【００４４】
基端部２８２の外周には、雄ねじが形成される。基端部２８２は、ケース２１内から外部に突出し、この突出する基端部２８２には、調整ボルト２８を回動操作する操作部２８２Ａが設けられる。
【００４５】
操作部２８２Ａは、適宜の工具２８２Ｂに嵌合する部分であり、本実施例ではマイナスドライバーに嵌合する溝である。操作部２８２Ａ（ケース２１内から外部に突出する基端部２８２）は、蓋２１３の収納部２１３Ｂに収納される。収納部２１３Ｂ内では、調整ボルト２８がロックナット２９によって固定される。
【００４６】
次に、タイマー２０の進角特性に係る作用について説明する。
【００４７】
図２および図３に示すタイマー２０において、ケース２１に駆動軸１９（図１参照）からの動力が伝達されるとケース２１が回転する（図２に示す矢印２１５の方向）。
【００４８】
そして、ケース２１が回転すると、ケース２１の回転によって生じる遠心力が一対のウエイト２３・２３に作用する。これにより、一対のウエイト２３・２３は、ケース２１の空間２１４内において一対のウエイトピン２１２・２１２（一対の小径部２１２Ｂ・２１２Ｂ）を中心にケース２１（カム軸１８）の半径方向に広がる（図２に示す矢印２３３の方向）。
【００４９】
そうすると、一のウエイト２３においてウエイトピン２１２とは反対側の端部にローラピン２３２によって回動可能に軸支されるローラ２４が、ガイドカム２２の円弧部２２２Ａの曲面に沿ってケース２１（カム軸１８）の半径方向に転動する（図２に示す矢印２４１の方向）。これにより、一対のガイドカム２２・２２には、図２に示す矢印２２３回りの回転力が作用する。
【００５０】
そうすると、ガイドカム２２に作用する回転力が一対のバネ２６・２６の付勢力よりも上回ることにより、一対のバネ２６・２６を押し縮めてガイドカム２２が図２に示す矢印２２３・２２３回りに回転する。
【００５１】
こうして、カム軸１８と駆動軸１９との回転方向に位相差が発生し、燃料噴射ポンプ１の燃料噴射時期が進角される。
【００５２】
次に、調整ボルト２８のタイマー２０の進角特性を調整する作用について説明する。
【００５３】
図４および図５に示すように、適宜の工具２８２Ｂを用いて操作部２８２Ａを介して調整ボルト２８を回動させて、調整ボルト２８をバネ受け２７に近づく方向（図４に示す白矢印２８３の方向）に移動させると、バネ２６の付勢力に抗して調整ボルト２８の先端部２８１（外周面２８１Ａ）がバネ受け２７の傾斜部２７１Ａに当接することにより、バネ受け２７が図４および図５に示す白矢印２７３の方向に押される。
【００５４】
これにより、バネ２６が縮んで付勢力が大きくなるため、タイマー２０の進角特性を遅らせる側（ガイドカム２２が回転し難くなる側）に調整することができる。
【００５５】
一方、上記とは反対に、調整ボルト２８をバネ受け２７から遠ざかる方向（図４に示す黒矢印２８４の方向）に移動させると、バネ２６の付勢力によってバネ受け２７の傾斜部２７１Ａが調整ボルト２８の先端部２８１（外周面２８１Ａ）に当接して、バネ受け２７が図４および図５に示す黒矢印２７４の方向に押される。
【００５６】
これにより、バネ２６が緩んで付勢力が小さくなるため、タイマー２０の進角特性を進める側（ガイドカム２２が回転し易くなる側）に調整することができる。
【００５７】
以上のように本発明の実施の一形態に係るタイマー２０は、燃料噴射ポンプ１のカム軸１８とカム軸１８を駆動する駆動軸１９との回転方向に位相差を与えることにより、燃料噴射ポンプ１の燃料噴射時期を進角させるタイマー２０であって、駆動軸１９に固定されカム軸１８側に動力を出力するケース２１と、カム軸１８に固定されケース２１側の動力が入力されるガイドカム２２と、ケース２１とガイドカム２２との間においてケース２１に回動可能に軸支され、ケース２１の回転によって生じる遠心力が作用することによりカム軸１８の半径方向に広がってガイドカム２２に回転力を付与する一対のウエイト２３・２３と、一端部がウエイト２３側に係止して他端部がガイドカム２２側に係止し、ウエイト２３に対してカム軸１８の半径方向に広がらないように付勢力を付与するバネ２６と、バネ２６のウエイト２３側の端部を受け、バネ２６の付勢方向に往復移動可能なバネ受け２７と、バネ受け２７の移動方向に対して直交する方向に挿入可能とされてバネ受け２７とガイドカム２２との間隔を調整し、バネ２６の付勢力を調整する調整ボルト２８と、を備えるものである。
【００５８】
このような構成により、調整ボルト２８の挿入具合によってバネ受け２７とガイドカム２２との間隔を調整してバネ２６の付勢力を調整できるため、タイマー２０の進角特性を容易に調整することが可能である。
【００５９】
そして、バネ受け２７には、バネ２６の付勢方向に対して所定角度傾斜する傾斜部２７１Ａが設けられ、調整ボルト２８は、先細状に構成された先端部２８１を有するボルトであり、バネ２６の付勢方向に直交する方向にねじ込んで入れられるとともに、先端部２８１が傾斜部２７１Ａに沿うものである。
【００６０】
このような構成により、調整ボルト２８をねじ込むことによりバネ受け２７とガイドカム２２との間隔を調整してバネ２６の付勢力を容易に調整することが可能であるとともに、調整ボルト２８のねじ込み具合によってバネ２６の付勢力を細かく調整することが可能である。
【００６１】
また、ケース２１は、少なくとも一対のウエイト２３・２３、バネ２６、およびバネ受け２７を収納するケース部材であり、ケース２１内からは調整ボルト２８の基端部２８２が外部に突出し、前記突出する基端部２８２には、調整ボルト２８を回動操作する操作部２８２Ａが設けられるものである。
【００６２】
このような構成により、ケース２１の外部から調整ボルト２８を回動操作できるため、バネ２６の付勢力の調整に際してタイマー２０を分解する必要がない。これにより、バネ２６の付勢力を容易に調整することが可能である。
【００６３】
さらに、ケース２１の形状は、一端が開口されるとともに他端が閉塞された円筒状であり、ケース２１の開口側は、蓋２１３によって蓋され、蓋２１３には、操作部２８２Ａを収納する収納部２１３Ｂが設けられるものである。
【００６４】
このような構成により、蓋２１３から突出する操作部２８２Ａが短くなるため、タイマー２０をコンパクトに構成することが可能である。
【符号の説明】
【００６５】
１  燃料噴射ポンプ
１８  カム軸
１９  駆動軸
２０  タイマー（噴射時期進角装置）
２１  ケース（出力部材、ケース部材）
２２  ガイドカム（入力部材）
２３  ウエイト（ウエイト部材）
２６  バネ（付勢部材）
２７  バネ受け（受け部材）
２８  調整ボルト（調整部材、ボルト）
２１３  蓋（蓋部材）
２１３Ｂ  収納部
２７１Ａ  傾斜部
２８１  先端部
２８２  基端部
２８２Ａ  操作部
【図１】
2010216438.tif 000003
【図２】
2010216438.tif 000004
【図３】
2010216438.tif 000005
【図４】
2010216438.tif 000006
【図５】
2010216438.tif 000007